(57)【要約】      （修正有）【課題】大量の水でノズルを十分に洗浄することができる温水洗浄装置と、この温水洗浄装置を備えた便器装置を提供する。【解決手段】ロータンクからのフラッシュ水を水路１１によって便鉢に導く。第１の水路１１にハウジング２０が設置され、ノズル２３，２４がハウジング２０から突出可能とされている。ノズル２３，２４はガイドパイプ２５ａ，２５ｂに外嵌し、引張コイルスプリングによって後退方向に付勢されている。ロータンク５内の水が水路１１を介して便鉢に供給される場合、第１の水路１１に流入した水はハウジング２０を通過し、ノズル２３，２４を洗浄する。【選択図】図３
2013032645.tif 000002
【特許請求の範囲】
【請求項１】
人体臀部洗浄用のノズルを有する温水洗浄装置において、便器内の汚水を排出するためのフラッシュ水の少なくとも一部が通過する水路に該ノズルを配置したことを特徴とする温水洗浄装置。
【請求項２】
請求項１において、前記水路の途中に、前記ノズルを収容したハウジングが設けられており、該ノズルは該ハウジングから人体臀部洗浄位置へ突出可能とされていることを特徴とする温水洗浄装置。
【請求項３】
請求項２において、前記ノズルはガイドパイプに外嵌し、該ガイドパイプに沿ってガイドパイプ前方へ移動可能であり、
該ガイドパイプを介して該ノズルに人体臀部洗浄用温水が供給されることを特徴とする温水洗浄装置。
【請求項４】
請求項１ないし３のいずれか１項において、フラッシュ水の全量がフラッシュする水路の途中に前記ノズルが配置されていることを特徴とする温水洗浄装置。
【請求項５】
請求項１ないし３のいずれか１項において、フラッシュ水源に連なる第１の水路及び第２の水路が設けられ、該第１の水路の途中に前記ノズルが配置されており、
該第１の水路は全フラッシュ水量の１０％以上の水が流通可能であることを特徴とする温水洗浄装置。
【請求項６】
請求項５において、第１の水路への給水量と第２の水路への給水量とを調節するための流量調節手段を備えたことを特徴とする温水洗浄装置。
【請求項７】
洋風便器と、該洋風便器に設置された請求項１ないし６のいずれか１項に記載の温水洗浄装置とを有する便器装置。
【請求項８】
請求項７において、前記洋風便器は、フラッシュ水源としてタンクを備えていることを特徴とする便器装置。
【請求項９】
請求項７又は８において、フラッシュ水を圧送するためのポンプを備えたことを特徴とする便器装置。
【発明の詳細な説明】
【技術分野】
【０００１】
本発明は、便器使用者の臀部に向って温水を噴出して洗浄する温水洗浄装置に係り、特にノズルの外周面を水で洗って汚れの除去を行うようにした温水洗浄装置に関する。また、本発明は、この温水洗浄装置を備えた便器装置に関する。
【背景技術】
【０００２】
人体臀部洗浄用の温水洗浄装置において、ノズル外周面の汚れ除去のために温水洗浄動作中にノズルの外周面に水を供給することにより、汚物等がノズルに付着することを防止したり、付着汚物を洗い流すことが特開平１１−１９３５６７号公報（特許文献１）及び特開２００２−２７５９９３号公報（特許文献２）に記載されている。
【０００３】
かかる特許文献１及び２の温水洗浄装置にあっては、ノズル洗浄はノズルに水を注ぎかけるものであり、洗浄力が弱い。なお、水をノズルに強く吹き付けた場合には、水が周囲に飛び散ってしまう。更に、排便がより付着しやすい便鉢内にノズルが配置されている。
【０００４】
特開２００５−８３０８７号公報（特許文献３）には、突出した使用姿勢と、後退した退避姿勢とを採りうるように前後進するノズルを備えた温水洗浄装置において、該退避姿勢にあるノズルを囲むケースと、該ケース内に該ノズルの洗浄水を供給する洗浄水供給手段とを備えた温水洗浄装置が記載されている。この温水洗浄装置によれば、ケース内にノズルを退避させた状態でノズルを洗浄するので、ノズルを水に浸漬させたり、ノズルに強力に水を吹き付けたりすることにより、ノズルを洗浄することができ、周囲に水を飛散させることがない。
【先行技術文献】
【特許文献】
【０００５】
【特許文献１】特開平１１−１９３５６７号公報
【特許文献２】特開２００２−２７５９９３号公報
【特許文献３】特開２００５−８３０８７号公報
【発明の概要】
【発明が解決しようとする課題】
【０００６】
上記特許文献３では、ケース内に供給されるノズル洗浄水量が少ない。本発明は、大量の水でノズルを十分に洗浄することができる温水洗浄装置と、この温水洗浄装置を備えた便器装置を提供することを目的とする。
【課題を解決するための手段】
【０００７】
本発明の温水洗浄装置は、人体臀部洗浄用のノズルを有する温水洗浄装置において、便器内の汚水を排出するためのフラッシュ水の少なくとも一部が通過する水路に該ノズルを配置したことを特徴とするものである。
【０００８】
本発明では、この水路の途中に、前記ノズルを収容したハウジングが設けられており、該ノズルは該ハウジングから人体臀部洗浄位置へ突出可能とされていることが好ましい。
【０００９】
この場合、ノズルは、ガイドパイプに外嵌し、該ガイドパイプに沿ってガイドパイプ前方へ移動可能であり、該ガイドパイプを介して該ノズルに人体臀部洗浄用温水が供給されることが好ましい。
【００１０】
本発明の一態様では、フラッシュ水の全量が通過する水路の途中に前記ノズルが配置されている。
【００１１】
本発明の別の一態様では、フラッシュ水源に連なる第１の水路及び第２の水路が設けられ、該第１の水路の途中に前記ノズルが配置されており、該第１の水路は全フラッシュ水量の１０％以上の水が流通可能とされている。
【００１２】
この場合、第１の水路への給水量と第２の水路への給水量とを調節するための流量調節手段を備えてもよい。
【００１３】
本発明の便器装置は、洋風便器と、かかる本発明の温水洗浄装置とを備えたものである。
【００１４】
この洋風便器のフラッシュ水源はタンクであってもよく、水道管であってもよい。
【００１５】
本発明の便器装置は、フラッシュ水を圧送するためのポンプを備えてもよい。
【発明の効果】
【００１６】
本発明の温水洗浄装置及び便器装置にあっては、便器を洗浄すべくフラッシュ水を流すと、少なくともその一部（好ましくは１０％）以上がノズルと接触してこれを洗浄する。通常の洋風便器では、大使用時のフラッシュ水量は４〜８Ｌ程度であり、従来のノズル洗浄水に比べると大量であるので、ノズルが十分に洗浄される。
【００１７】
本発明では、フラッシュ水路の途中にハウジングを設置し、ノズルを該ハウジングに配置しておくことにより、ハウジング内を通過するフラッシュ水によってノズルが十分に洗浄される。
【００１８】
このノズルをガイドパイプに外嵌させておくと、ハウジング内を通過するフラッシュ水がノズルの外面全体と十分に接触し、ノズルが十分に洗浄される。
【００１９】
本発明では、ノズルをフラッシュ水の全量が流れる水路に配置してもよく、このようにすればノズルが多量の水で洗浄されることになる。
【００２０】
本発明では、全フラッシュ水量の１０％以上が流通可能な第１の水路にノズルを配置してもよい。この場合もノズルは十分な量の水で洗浄される。第２の水路にはノズルが配置されないので、フラッシュ水がスムーズに流れ、高流速にてフラッシュ水を便器へ流出させることができる。この場合、第１の水路及び第２の水路の水量を調節する流量調節手段を設けてもよい。このように構成すると、便器の使用形態に応じてノズル洗浄水量を調節することができる。
【００２１】
本発明では、フラッシュ水の水源はロータンクなどのタンクであってもよい。ロータンクの場合であれば、大流量のロータンク放出水によってノズルが十分に洗浄される。
【００２２】
本発明では、フラッシュ水をポンプで圧送してもよい。このようにすれば、ノズルを強力に洗浄することができる。
【図面の簡単な説明】
【００２３】
【図１】実施の形態に係る便器装置の側面図である。
【図２】洋風便器におけるフラッシュ水の流れを説明する斜視図である。
【図３】ハウジングの斜視図である。
【図４】図３のIV−IV線に沿うハウジング断面図である。
【図５】ノズル突出時のハウジング断面図である。
【図６】別の実施の形態を示すハウジング断面図である。
【図７】別の実施の形態に係る便器装置の模式的な断面図である。
【図８】別の実施の形態に係る便器装置の模式的な断面図である。
【図９】別の実施の形態に係る便器装置の模式的な断面図である。
【図１０】別の実施の形態に係る便器装置の模式的な断面図である。
【発明を実施するための形態】
【００２４】
以下、図面を参照して実施の形態について説明する。
【００２５】
図１は第１の実施の形態に係る便器装置の側面図であり、洋風便器１の後部上面にロータンクカバー２が設置され、該ロータンクカバー２の前面に便座３及び便蓋４が起倒方向回動可能に取り付けられている。タンクカバー２内にロータンク５が設置されており、ボールタップ（図示略）によって給水が行われる。
【００２６】
このロータンク５の底部にフラッシュ弁装置６が設置されている。このフラッシュ弁装置６の流出部にディストリビュータ７が接続され、管状の第１の水路１１及び第２の水路１２が構成されている。この第１の水路１１及び第２の水路１２からは、図２の通り洋風便器１の鉢部１３の上縁部に同一周回方向にフラッシュ水が供給される。
【００２７】
図３の通り、ハウジング２０は箱状であり、一方の側面に流入口２１が設けられ、他方の側面に流出口２２が設けられている。この実施の形態では、ハウジング２０の前端面２０ａ側が低位となっており、洋風便器１の鉢部１３に臨んでいる。流入口２１はこの前端面２０ａの近傍に設けられ、流出口２２は高位の後端面２０ｂの近傍に配置されている。これにより、ハウジング２０内に水が溜まり、ノズル２３，２４が水に浸漬されるよう構成されている。ただし、寒冷地等に設置される場合を考慮して、流入口２１を高位側とし、流出口２２を低位側とし、ハウジング２０内に水が残らないように構成してもよい。
【００２８】
この実施の形態では、ノズルとしてシャワーノズル２３とビデノズル２４とが設置されている。シャワーノズル２３及びビデノズル２４は、ハウジング２０の後端面を貫通したガイドパイプ２５ａ，２５ｂに外嵌している。各ガイドパイプ２５ａ，２５ｂの後端に温水供給配管２６ａ，２６ｂが接続されている。図４，５に示す通り、ガイドパイプ２５ａ，２５ｂの先端はハウジング前端面２０ａから離隔している。
【００２９】
図３〜５の通り、シャワーノズル２３及びビデノズル２４は先端面が閉じ、後端面が開放した筒形状であり、ハウジング２０の前端面２０ａに設けられたノズル挿通口２７に挿通されている。ノズル２３，２４の先端には外周に張り出すように鍔部２８が設けられている。ノズル２３，２４の先端部の裏面とガイドパイプ２５ａ，２５ｂの先端との間に引張コイルバネ２９が架設されている。このコイルバネ２９は、ノズル２３，２４の先端部裏面及びガイドパイプ２５ａ，２５ｂの先端にそれぞれ設けられた係止部（図示略）に係止されており、ノズル２３，２４をハウジング２０内に引き込むように付勢している。コイルバネ２９に引っ張られてノズル２３，２４が後退した場合、鍔部２８がノズル挿通口２７の外面縁部に押し付けられるので、ノズル挿通口２７からハウジング２０内の水が漏出しない。但し、一部漏出しても、大きな支障はない。
【００３０】
ノズル２３，２４の先端からは摘み部３１が突設されている。この摘み部３１を摘んでノズル２３，２４を引き出して清掃することが可能である。ノズル２３，２４の後端側の外周面にはフランジ状のストッパ部３２が突設されている。図５の通り、温水供給配管２６ａ又は２６ｂからガイドパイプ２５ａ又は２５ｂ内に温水を供給すると、この水圧によってノズル２３又は２４はこのストッパ部３２がハウジング前端面２０ａに当接するまで前進する。前進したノズル２３又は２４の先端部上面に設けられた噴出口３０から温水が斜め上方に噴出し、人体臀部の洗浄が行われる。
【００３１】
この洋風便器１の使用者がフラッシュハンドル（図示略）を操作するか、又はリモコン（図示略）等に設けられたフラッシュスイッチを操作すること等によってロータンク５内の水が水路１１，１２を介して便鉢１３に供給される場合、第１の水路１１に流入した水はハウジング２０を通過し、ノズル２３，２４を洗浄する。大便使用時の便器洗浄水量は４〜８Ｌ程度であるので、洗浄水量の１０％以上例えば３０〜７０％程度を第１の水路に流すことにより、大量の水がハウジング２０を通過することになり、ノズル２３，２４が十分に洗浄される。
【００３２】
この実施の形態では、ロータンク５からの水の放出が停止した後もハウジング２０内に水が残り、ノズル２３，２４が水に浸漬されるので、この浸漬中にノズル２３，２４の付着物が剥離ないし溶解する効果も得られる。
【００３３】
この実施の形態では、ノズル２３，２４はガイドパイプ２５ａ，２５ｂに外嵌しており、ハウジング２０内に後退したノズル２３，２４の外周面の全体が水によって十分に洗浄される。
【００３４】
上記実施の形態では、ノズル２３，２４が温水の水圧によって前進するように構成されているが、その他の前後進機構によって前後進するものであってもよい。図６はその一例を示すものであり、ノズル２３Ａの外周面に長手方向に延在するラック３４が設けられ、該ラックにピニオン３５が噛合している。ピニオン３５は、ハウジング２０の側面を貫通する駆動軸の先端に固着されており、該駆動軸をモータ（図示略）で正転又は反転することにより、ノズル２３Ａが前後進する。図６のその他の構成は図４と同一であり、同一符号は同一部分を示している。
【００３５】
上記実施の形態ではロータンク５からのフラッシュ水を第１の水路１１及び第２の水路１２の２水路に分流しているが、３以上の水路に分流させ、そのうちの１つの水路にハウジング２０を設けてもよい。また、水路は１つだけ設けられてもよい。図７は、第１の水路１１のみを設けた便器装置の模式的な前後方面の縦断面図である。図７は、上記図１〜５の実施の形態において第２の水路１２を設けないものであり、それ以外の構成は図１〜５の実施の形態と同一である。
【００３６】
上記実施の形態では、洋風便器１の後部上面にロータンク５を配置しているが、図８のようにタンク３８を洋風便器１とは別位置に配置し、ポンプ３９によってタンク３８内の水を水路１１に圧送してもよい。このようにポンプ３９によってフラッシュ水を加圧した場合、ハウジング２０内を水が高速で通過し、ノズル２３が十分に洗浄される。なお、タンク３８にはボールタップ（図示略）によって給水が行われる。
【００３７】
図８では、第１の水路１１のみを設けているが、図９のように第１の水路１１及び第２の水路１２を設け、フラッシュ水をポンプ３９から各水路１１，１２に圧送してもよい。この場合、水路１１，１２に流量調節弁１１Ｖ，１２Ｖを設け、各水路１１，１２に通水するフラッシュ水量を調節してもよい。
【００３８】
また、弁１１Ｖ，１２Ｖを弁駆動装置によって開度調節可能とし、便器の使用形態等に対応して水路１１，１２への供給水量を制御してもよい。例えば、便器を男子小用に使用した場合には第２の水路１２に全量又は大部分のフラッシュ水を供給し、便器を大使用した場合には第１の水路１１に十分な水量にてフラッシュ水を流すように流量制御することができる。ノズルを特に十分に洗浄する必要がある場合には、フラッシュ水の全量又は大部分を第１の水路１１に流すようにしてもよい。なお、図示は省略するが、図１〜５の態様においても水路１１，１２にそれぞれ同様の流量調節弁及び流量制御機構を設けてもよい。
【００３９】
本発明は、サイホンゼット式洋風便器にも適用できる。図１０はその一例を示すものであり、便器洗浄時には、水道配管から止水栓及び配管４０を経て供給されるフラッシュ水を第１の水路４１と第２の水路４２とに分流させ、第１の水路４１からの水を便鉢１３のリム部に供給する。また、第２の水路４２からの水をゼットノズル４３から便器トラップ部の１次側４４に向って噴出し、サイホン起動を促進する。このような水の供給を行わせるために、各水路４１，４２に弁４１Ｖ，４２Ｖが設けられており、コンピュータ制御方式の制御装置によって弁４１Ｖ，４２Ｖの開閉が制御される。
【００４０】
上記実施の形態は本発明の一例であり、本発明は図示以外の形態とされてもよい。例えば、図示以外の形状のハウジングを用いてもよい。また、ハウジングから突出したノズルに水を注ぎ掛ける従来方式のノズル洗浄機構を併設してもよい。フラッシュ動作は、便器から人体が遠ざかったり、便座から人体が立ち上がってから所定時間（例えば数秒）経過すると自動的に行われてもよい。
【符号の説明】
【００４１】
１  洋風便器
２  タンクカバー
５  ロータンク
１１，４１  第１の水路
１２，４２  第２の水路
２０  ハウジング
２３，２４  ノズル
２５ａ，２５ｂ  ガイドパイプ
２９  引張コイルスプリング
３８  タンク
４３  ゼットノズル
【図１】
2013032645.tif 000003
【図２】
2013032645.tif 000004
【図３】
2013032645.tif 000005
【図４】
2013032645.tif 000006
【図５】
2013032645.tif 000007
【図６】
2013032645.tif 000008
【図７】
2013032645.tif 000009
【図８】
2013032645.tif 000010
【図９】
2013032645.tif 000011
【図１０】
2013032645.tif 000012